(57)【要約】【課題】データ収集装置にて特定のデータロガーから、通常時よりも多くの測定データの収集を一時的に行うことを可能とする。【解決手段】データ収集装置１０１は、データロガー２１１，２２１，２３１のそれぞれへ、個別に送信要求信号を送る。データロガー２１１，２２１，２３１は、送信要求信号を受けたことに応じて、測定器２１２，２２２，２３２から取得してある測定データをデータ収集装置１０１へ送る。データ収集装置１０１は、特定のデータロガーから集中的に測定データを取得すべき時、特定のデータロガーに対して送信要求信号を送る頻度を、他のデータロガーに対して送信要求信号を送る頻度よりも高くする。【選択図】    図１
2005004529.tif 000002
【特許請求の範囲】
【請求項１】
複数の測定器から測定データをそれぞれ取り込む複数のデータロガーと、
この複数のデータロガーのそれぞれから通信網を介して前記測定データを収集するデータ収集装置とを具備し、
前記データ収集装置は、
前記複数のデータロガーに対して送信要求信号を個別に送信するもので、一部のデータロガーに前記送信要求信号を送信する頻度と他のデータロガーに前記送信要求信号を送信する頻度とを相反的に変更可能な手段を備え、
前記データロガーは、
前記送信要求信号を受信する手段と、
前記送信要求信号が受信されたことに応じて前記測定データを前記データ収集装置へ送信する手段とを備えることを特徴とする環境モニタリングシステム。
【請求項２】
前記データロガーは、前記送信要求信号の受信の有無に拘わらずに前記測定データを取得するもので、
前記データ収集装置へ送信されていない前記測定データを記憶する記憶手段をさらに備えることを特徴とする請求項１に記載の環境モニタリングシステム。
【請求項３】
前記データ収集装置は、
前記送信要求信号を送信する頻度を他のデータロガーよりも低下させるデータロガーに対して停止要求信号を送信する手段をさらに備え、
前記データロガーは、
前記停止要求信号を受信する手段と、
前記停止要求信号が受信されたことに応じて前記測定データを前記記憶手段に新たに記憶する時間間隔を延長する手段とをさらに備えることを特徴とする請求項２に記載の環境モニタリングシステム。
【請求項４】
複数の測定器から測定データをそれぞれ取り込む複数のデータロガーのそれぞれから通信網を介して前記測定データを収集するデータ収集装置において、
前記複数のデータロガーのそれぞれに対して、前記測定データの送信を要求するための送信要求信号を前記複数のデータロガー毎に個別の頻度で送信する手段を備えたことを特徴とするデータ収集装置。
【請求項５】
前記送信要求信号を送信する頻度を他のデータロガーよりも低下させるデータロガーに対して停止要求信号を送信する手段をさらに備えたことを特徴とする請求項４に記載のデータ収集装置。
【請求項６】
データ収集装置に対して通信網を介して接続されるデータロガーにおいて、
測定器からデータを取り込む手段と、
前記データ収集装置から送信される送信要求信号を受信する手段と、
前記送信要求信号が受信されたことに応じて前記測定データを前記データ収集装置へ送信する手段と、
前記データ収集装置へ送信されていない前記測定データを記憶する記憶手段を具備することを特徴とするデータロガー。
【請求項７】
前記データ収集装置から送信される停止要求信号を受信する手段と、
前記停止要求信号が受信されたことに応じて前記測定データを前記記憶手段に新たに記憶する時間間隔を延長する手段とをさらに具備することを特徴とする請求項６に記載のデータロガー。
【請求項８】
複数の測定器から測定データをそれぞれ取り込む複数のデータロガーと、
この複数のデータロガーのそれぞれから通信網を介して前記測定データを収集するデータ収集装置とを具備し、
前記データ収集装置は、
前記複数のデータロガーの一部に対して停止要求信号を送信する手段を備え、
前記データロガーは、
予め定められたタイミング毎に前記測定データを送信する手段と、
前記停止要求信号を受信する手段と、
前記停止要求信号が受信されたことに応じて前記測定データの送信を停止する手段とを具備したことを特徴とする環境モニタリングシステム。
【請求項９】
前記データ収集装置は、
前記停止要求信号を送信する先のデータロガーとは異なるデータロガーに対して優先送信要求信号を送信する手段をさらに備え、
前記データロガーは、
前記優先送信要求信号を受信する手段と、
前記優先送信要求信号が受信されたことに応じて前記測定データを送信する間隔を短縮する手段とをさらに備えることを特徴とする請求項３または請求項８に記載の環境モニタリングシステム。
【請求項１０】
前記データ収集装置へ送信されていない前記測定データを記憶する記憶手段をさらに備えることを特徴とする請求項８に記載の環境モニタリングシステム。
【請求項１１】
複数の測定器から測定データをそれぞれ取り込む複数のデータロガーのそれぞれが通信網を介して送信する前記測定データを収集するデータ収集装置において、
前記複数のデータロガーのうちの一部のデータロガーに対して前記測定データの送信停止を要求するための停止要求信号を送信する手段を具備したことを特徴とするデータ収集装置。
【請求項１２】
前記停止要求信号を送信する先のデータロガーとは異なるデータロガーに対して前記測定データの送信頻度を高めることを要求するための優先送信要求信号を送信する手段をさらに備えたことを特徴とする請求項１１に記載のデータ収集装置。
【請求項１３】
データ収集装置に対して通信網を介して接続されるデータロガーにおいて、
測定器からデータを取り込む取込み手段と、
予め定められたタイミング毎に前記測定データを送信する手段と、
前記データ収集装置から送信される停止要求信号を受信する手段と、
前記データ送信停止要求信号が受信されたことに応じて前記測定データの送信を停止する手段とを具備したことを特徴とするデータロガー。
【請求項１４】
前記データ収集装置から送信される優先送信要求信号を受信する手段と、
前記優先送信要求信号が受信されたことに応じて前記測定データを送信する間隔を短縮する手段とをさらに具備したことを特徴とする請求項１３に記載のデータロガー。
【請求項１５】
前記データ収集装置へ送信されていない前記測定データを記憶する記憶手段をさらに備えることを特徴とする請求項１３に記載のデータロガー。
【請求項１６】
前記測定データの送信を停止しているときに、前記測定データを前記記憶手段へと新たに記憶する時間間隔を延長する手段をさらに備えることを特徴とする請求項１５に記載のデータロガー。
【請求項１７】
前記記憶手段の空き容量を監視する手段と、
前記空き容量が閾値以下になったことに応じて前記測定データを前記記憶手段へと新たに記憶する時間間隔を延長する延長手段とをさらに具備したことを特徴とする請求項６または請求項１５に記載のデータロガー。
【請求項１８】
前記延長手段は、複数の閾値のそれぞれに基づいて前記時間間隔を段階的に延長することを特徴とする請求項１７に記載のデータロガー。
【請求項１９】
前記記憶手段の空き容量を監視する手段と、
前記空き容量が閾値以下になったことに応じて前記記憶手段に記憶されている前記測定データの一部を削除する削除手段とをさらに具備したことを特徴とする請求項６または請求項１５に記載のデータロガー。
【請求項２０】
前記削除手段は、予め定められたルールに基づいて定まるデータを削除するもので、前記測定データの送信が前回行われてから前記測定データの削除を行った回数に応じて前記ルールを変更することを特徴とする請求項１９に記載のデータロガー。
【発明の詳細な説明】
【０００１】
【発明の属する技術分野】
本発明は、大気質や水質等の環境に係わる測定情報を収集して監視する環境モニタリングシステムとこのシステムで使用されるデータ収集装置およびデータロガーに関する。
【０００２】
【従来の技術】
従来、大気質を監視するシステムは例えば次のように構成される。すなわち、選定した複数の監視対象場所にはそれぞれ測定局が配置される。各測定局にはそれぞれ、複数の測定器とデータロガーが設けられる。データロガーは、上記各測定器から測定データをそれぞれ取り込んでメモリに一旦記憶し、しかるのち通信網を介して中央収集局へ測定データを送信する。中央収集局は、上記各測定局から送信された測定データを受信して蓄積する。このようなシステムを使用すれば、例えば測定者が各監視対象場所に出向かなくても、中央収集局にて各地域の大気質を監視することが可能となる。
【０００３】
なお、この種の技術としては、非特許文献１にて開示されるものが知られている。
【０００４】
【非特許文献１】
ｈｔｔｐ：／／ｗｗｗ．ａｐｐｔｅｃ．ｃｏ．ｊｐ／ｂｕｓｉｎｅｓｓ／ｅｎｇｉｎｅｅｒｉｎｇ／ｐｄｆ／ｋａｎｋｙｏｕ＿ｋａｎｓｈｉ．ｐｄｆ。
【０００５】
【発明が解決しようとする課題】
中央収集局においては、収集した測定データに異常が無いかどうかを監視する。そして、測定データに異常が認められた場合には、その測定データを送信したデータロガーの状況を詳細に分析することが必要になる。このとき、当該データロガーの測定データを十分に収集することが必要となるが、他のデータロガーからのデータ収集も行われるために、必要な量の測定データを収集し終えるまでに長時間を要してしまうおそれがあった。このため、異常データを送信したデータロガーの状況を特定できるまでに長時間を要してしまうことになっていた。
【０００６】
本発明はこのような事情を考慮してなされたものであり、その目的とするところは、データ収集装置にて特定のデータロガーから、通常時よりも多くの測定データの収集を一時的に行うことを可能とすることにある。
【０００７】
【課題を解決するための手段】
以上の目的を達成するために本発明は、複数の測定器から測定データをそれぞれ取り込む複数のデータロガーと、この複数のデータロガーのそれぞれから通信網を介して前記測定データを収集するデータ収集装置とを具備し、前記データ収集装置には、前記複数のデータロガーのそれぞれに対して、送信要求信号を前記複数のデータロガー毎に個別の頻度で送信する手段を備え、前記データロガーには、前記送信要求信号を受信する手段と、前記送信要求信号が受信されたことに応じて前記測定データを前記データ収集装置へ送信する手段とを備えて環境モニタリングシステムを構成した。
【０００８】
このような手段を講じたことにより、データ収集装置が送信要求信号を送信する頻度を、複数のデータロガー毎に個別に変更することができる。そしてこれにより、一部のデータロガーからの測定データの送信を一時的に停止させて、他のデータロガーから集中的に測定データを送信させることが可能となる。
【０００９】
前記目的を達成するために別の本発明は、複数の測定器から測定データをそれぞれ取り込む複数のデータロガーと、この複数のデータロガーのそれぞれから通信網を介して前記測定データを収集するデータ収集装置とを具備し、前記データ収集装置には、前記複数のデータロガーの一部に対して停止要求信号を送信する手段を備え、前記データロガーには、予め定められたタイミング毎に前記測定データを送信する手段と、前記停止要求信号を受信する手段と、前記停止要求信号が受信されたことに応じて前記測定データの送信を停止する手段とを備えて環境モニタリングシステムを構成した。
【００１０】
このような手段を講じたことにより、データ収集装置が複数のデータロガーのうちの一部からの測定データの送信を停止させることができる。そしてこれにより、測定データの送信を継続しているデータロガーから集中的に測定データを送信させることが可能となる。
【００１１】
【発明の実施の形態】
以下、図面を参照して本発明の実施形態につき説明する。
（第１の実施形態）
図１は第１の実施形態に係わる環境モニタリングシステムの概略構成図である。
【００１２】
図１に示す環境モニタリングシステムは、中央収集局１００および複数の測定局２１０，２２０，２３０を含む。なお、第１の実施形態では、３つの測定局２１０，２２０，２３０を含む例を示すが、測定局は２つ以上の任意の数であって良い。
【００１３】
測定局２１０，２２０，２３０は、中央収集局１００が設けられた場所から離れた監視対象場所にそれぞれ設置される。そして中央収集局１００と測定局２１０，２２０，２３０とは、ネットワーク３００を介して接続される。
【００１４】
中央収集局１００には、データ収集装置１０１、データ監視装置１０２およびデータ記憶装置１０３が設けられる。データ収集装置１０１は、ネットワーク３００を介して測定局２１０から測定データを収集し、この収集した測定データをデータ記憶装置１０３に蓄積する。データ監視装置１０２は、データ記憶装置１０３に保存された測定データを監視し、測定データに異常があった場合には詳細測定、警報発令、あるいは報告等の処理を実施する。
【００１５】
測定局２１０，２２０，２３０には、それぞれデータロガー２１１，２２１，２３１および測定器２１２，２２２，２３２が設けられる。データロガー２１１，２２１，２３１は、測定器２１２，２２２，２３２が測定した大気質等の環境情報（測定データ）を収集して一時保存する。データロガー２１１，２２１，２３１は、一時保持している測定データを中央収集局１００へ送信する。
【００１６】
図２はデータ収集装置１０１の構成を示すブロック図である。
図２に示すようにデータ収集装置１０１は、データ収集部１、送信要求信号送信部２、停止要求信号送信部３、優先送信要求信号送信部４、停止解除信号送信部５、優先送信解除信号送信部６、ネットワークインタフェース（以下、ネットワークＩ／Ｆと称する）７、記憶装置インタフェース（以下、記憶装置Ｉ／Ｆと称する）８および監視装置インタフェース（以下、監視装置Ｉ／Ｆと称する）９を含む。
【００１７】
データ収集部１は、データロガー２１１，２２１，２３１から送信されてネットワークを介して到来した測定データをネットワークＩ／Ｆ７を介して取り込む。データ収集部１は、取り込んだ測定データを記憶装置Ｉ／Ｆ８を介してデータ記憶装置１０３に書き込む。送信要求信号送信部２は、データ収集部１の処理状況を確認しながら、データロガー２１１，２２１，２３１のそれぞれに向けた送信要求信号を、ネットワークＩ／Ｆ７を介してネットワーク３００へ送信する。
【００１８】
停止要求信号送信部３および優先送信要求信号送信部４には、データ監視装置１０２から出力される詳細測定開始指示が監視装置Ｉ／Ｆ９を介して入力される。上記詳細測定開始指示は、特定のデータロガーを指定し、このデータロガーからの測定データの収集を集中的に行うべきことを指示する。停止要求信号送信部３は、上記の詳細測定開始指示で指定されるデータロガー以外のデータロガーに向けた停止要求信号を、ネットワークＩ／Ｆ７を介してネットワーク３００へ送信する。優先送信要求信号送信部４は、上記の詳細測定開始指示で指定されるデータロガーに向けた優先送信要求信号を、ネットワークＩ／Ｆ７を介してネットワーク３００へ送信する。
【００１９】
停止解除信号送信部５および優先送信解除信号送信部６には、データ監視装置１０２から出力される詳細測定終了指示が監視装置Ｉ／Ｆ９を介して入力される。上記詳細測定終了指示は、測定データの集中的な収集を終了するべきことを指示する。停止解除信号送信部５は、詳細測定終了指示を受けると、停止要求信号送信部３が停止要求信号を送信した先のデータロガーに向けた停止解除信号を、ネットワークＩ／Ｆ７を介してネットワーク３００へ送信する。優先送信解除信号送信部６は、詳細測定終了指示を受けると、優先送信要求信号送信部４が優先送信要求信号を送信した先のデータロガーに向けた優先送信解除信号を、ネットワークＩ／Ｆ７を介してネットワーク３００へ送信する。
【００２０】
図３はデータロガー２１１，２２１，２３１の構成を示すブロック図である。図３に示すようにデータロガー２１１，２２１，２３１は、メモリ１１、メモリ制御部１２、全体制御部１３、測定機器インタフェース（以下、測定機器Ｉ／Ｆと称する）１４および通信インタフェース（以下、通信Ｉ／Ｆと称する）１５を含む。
【００２１】
メモリ１１は、測定器２１２，２２２，２３２から測定機器Ｉ／Ｆ１４を介して取り込まれた測定データを蓄積する。メモリ１１に蓄積された測定データは、データ収集装置１０１へ向けて通信Ｉ／Ｆ１５を介してネットワーク３００へ送信される。メモリ制御部１２は、全体制御部１３の制御の下に、メモリ１１への測定データの書き込みや、メモリ１１からの測定データの読み出しを制御する。
【００２２】
全体制御部１３は、データロガー２１１，２２１，２３１としての動作を実現するために各部を総括制御する。全体制御部１３は、送信要求信号受信部１３ａ、測定データ送信制御部１３ｂ、停止要求信号受信部１３ｃ、停止解除信号受信部１３ｄ、優先送信要求信号受信部１３ｅ、優先送信解除信号受信部１３ｆおよび取得間隔変更部１３ｇとしての機能を備えている。
【００２３】
送信要求信号受信部１３ａは、データ収集装置１０１から送信されてネットワーク３００を介して到来した送信要求信号を通信Ｉ／Ｆ１５を介して受信する。測定データ送信制御部１３ｂは、送信要求信号が受信されたことに応じて、測定データを送信するための処理を行う。
【００２４】
停止要求信号受信部１３ｃおよび停止解除信号受信部１３ｄは、データ収集装置１０１から送信されてネットワーク３００を介して到来した停止要求信号および停止解除信号を通信Ｉ／Ｆ１５を介して受信する。
【００２５】
優先送信要求信号受信部１３ｅおよび優先送信解除信号受信部１３ｆは、データ収集装置１０１から送信されてネットワーク３００を介して到来した停止要求信号および停止解除信号を通信Ｉ／Ｆ１５を介して受信する。
【００２６】
取得間隔変更部１３ｇは、停止要求信号が受信されてから停止解除信号が受信されるまでの間、測定器２１２から測定データを取得する間隔を通常時よりも延長する。取得間隔変更部１３ｇは、優先送信要求信号が受信されてから優先送信解除信号が受信されるまでの間、測定器２１２，２２２，２３２から測定データを取得する間隔を通常時よりも短縮する。
【００２７】
次に以上のように構成された第１の実施形態の環境モニタリングシステムの動作につき説明する。
図４はデータ収集装置１０１がデータロガー２１１，２２１，２３１から測定データを収集する手順を示すシーケンス図である。図５はデータロガー２１１，２２１，２３１における全体制御部１３の処理のフローチャートである。
【００２８】
通常時、データ収集装置１０１は図４の期間Ａに示されるように、データロガー２１１，２２１，２３１に対して均等な割合で送信要求信号を送信する。
【００２９】
一方、データロガー２１１，２２１，２３１の全体制御部１３はステップＳＴ１において、データ取得間隔をＴ２に設定する。データ取得間隔とは、測定器２１２，２２２，２３２から測定データを取得する時間間隔である。Ｔ２は、後出のＴ１，Ｔ３に対して、Ｔ１＜Ｔ２＜Ｔ３なる関係を持つ。これらＴ１，Ｔ２，Ｔ３の具体的な値は、データロガー２１１，２２１，２３１の設計者や使用者などが任意に定めておけばよい。
【００３０】
そして全体制御部１３は、図４に示す処理とは別の処理にて、上記のデータ取得間隔毎に測定器２１２，２２２，２３２から測定データを取得し、メモリ１１に蓄積して行く。
【００３１】
この状態にて全体制御部１３はステップＳＴ２乃至ステップＳＴ４において、送信要求信号、停止要求信号、あるいは優先送信要求信号のいずれかが到来するのを待ち受ける。従って、上述のようにデータ収集装置１０１から送信要求信号が送信され、これが受信できたならば、全体制御部１３はステップＳＴ２にて送信要求信号が到来したと判定する。そしてこの場合に全体制御部１３はステップＳＴ５において、メモリ１１に蓄積された測定データをデータ収集装置１０１に向けて送信させる。測定データを送信し終えたならば全体制御部１３は、ステップＳＴ２乃至ステップＳＴ４の待ち受け状態に戻る。
かくして図４に示すように、送信要求信号に応答して、データロガー２１１，２２１，２３１からデータ収集装置１０１へ測定データが送られる。このようにしてデータロガー２１１，２２１，２３１からデータ収集装置１０１へと送られた測定データは、データ収集装置１０１によってデータ記憶装置１０３に蓄積される。
【００３２】
さて、測定データに異常が見られた場合には、異常データを測定した測定局のデータを詳細に観測することが必要になる。この場合、その測定局のデータロガーから測定データをより細かく収集することが必要となる。そこでデータ監視装置１０２が、データ記憶装置１０３に蓄積された測定データを監視する。測定データに異常があった場合にデータ監視装置１０２は、自動的に、あるいはシステム操作者による指令を受けて、詳細測定開始指示をデータ収集装置１０１に送る。データ監視装置１０２はこの詳細測定開始指示には、測定データを細かく収集することが必要なデータロガーを指定する。この詳細測定開始指示を受けるとデータ収集装置１０１は、指定されたデータロガーとは異なるデータロガーに対しては、停止要求信号を送信する。またデータ収集装置１０１は、指定されたデータロガーに対しては、優先送信要求信号を送信する。
【００３３】
今、測定局２１０から測定データを詳細に収集することとした場合には、データ収集装置１０１は図４の期間Ｂに示されるように、データロガー２２１，２３１へは停止要求信号を送信し、データロガー２１１へは優先送信要求信号を送信する。
【００３４】
データロガー２２１，２３１では、上記の停止要求信号を受信すると、全体制御部１３が図５のステップＳＴ３にて停止要求信号が到来したと判定する。そしてこの場合に全体制御部１３はステップＳＴ６において、データ取得間隔をＴ３に設定する。Ｔ３は通常時に設定するＴ２よりも大きいから、全体制御部１３はデータ取得間隔を通常時より延長することになる。この上で全体制御部１３はステップＳＴ７において、停止解除信号が到来するのを待ち受ける。
【００３５】
データロガー２１１では、上記の優先送信要求信号を受信すると、全体制御部１３が図５のステップＳＴ４にて優先送信要求信号が到来したと判定する。そしてこの場合に全体制御部１３はステップＳＴ８において、データ取得間隔をＴ１に設定する。Ｔ１は通常時に設定するＴ２よりも小さいから、全体制御部１３はデータ取得間隔を通常時より短縮することになる。この上で全体制御部１３はステップＳＴ９およびステップＳＴ１０において、送信要求信号または優先送信解除信号が到来するのを待ち受ける。
【００３６】
データ収集装置１０１は、停止要求信号および優先送信要求信号を前述のように送信したのちには、優先送信要求信号を送信した先のデータロガー２１１に対してのみ送信要求信号を送信する。この送信要求信号がデータロガー２１１で受信されると、データロガー２１１の全体制御部１３はステップＳＴ９にて送信要求信号が到来したと判定する。そしてこの場合に全体制御部１３はステップＳＴ１１において、メモリに蓄積された測定データをデータ収集装置１０１に向けて送信させる。測定データを送信し終えたならば全体制御部１３は、ステップＳＴ９およびステップＳＴ１０の待ち受け状態に戻る。
かくして、データ収集装置１０１では、データロガー２１１のみから集中的に測定データが収集される。このとき、データロガー２２１，２３１からの測定データの収集を行わないから、データロガー２１１から測定データを収集する時間間隔を短縮することが可能である。
【００３７】
測定データを細かく収集する必要が無くなった場合にデータ監視装置１０２は、自動的に、あるいはシステム操作者による指令を受けて、詳細測定終了指示をデータ収集装置１０１に送る。この詳細測定開始指示を受けるとデータ収集装置１０１は図４の期間Ｄのように、停止要求信号の送信先であったデータロガー２２１，２３１に対しては停止解除信号を送信し、また優先送信要求信号の送信先であったデータロガー２１１に対しては優先送信解除信号を送信する。
【００３８】
データロガー２２１，２３１では、上記の停止解除信号を受信すると、全体制御部１３が図５のステップＳＴ７にて停止解除信号が到来したと判定する。データロガー２１１では、上記の優先送信解除信号を受信すると、全体制御部１３が図５のステップＳＴ１０にて優先送信解除信号が到来したと判定する。そしてこれらの場合に全体制御部１３は、処理をステップＳＴ１に移行し、これ以降の処理を前述と同様に行う。これにより、データロガー２１１，２２１，２３１は、通常時の動作状態に戻る。
【００３９】
以上のように第１の実施形態によれば、特定のデータロガーから測定データを細かく収集することができる。また測定データが集中的に収集されるデータロガーでは、測定器から測定データを取得する間隔も短縮されているので、１回で送信される測定データの量も多くなっており、これによりさらにデータロガーから測定データを細かく収集することができる。
【００４０】
一方、データ送信を停止したデータロガーは、測定器から取得した測定データをメモリ１１に一時的に保存し、データ収集装置１０１へのデータ送信は行わない。このため、メモリ１１に蓄積される測定データの量が増加し続け、短時間のうちにメモリ１１がオーバフローしてしまうおそれがある。しかしながら第１の実施形態によれば、停止要求信号を受けたデータロガーでは、測定器から測定データを取得する間隔を通常時よりも延長しているので、メモリ１１がオーバフローするまでの時間を延長することができ、測定データの取得をより長時間に渡り継続することが可能である。
【００４１】
大気質等の環境データは、通常時であれば急激に変化することがないので、測定間隔を長くすることによる影響は小さい。
【００４２】
（第２の実施形態）
第２の実施形態に係わる環境モニタリングシステムの概略構成は第１の実施形態と同様であるので、図示は省略する。そして第２の実施形態において第１の実施形態と異なるのは、データロガー２１１，２２１，２３１に代えて図６に示す構成のデータロガー２４１を用いる点である。
【００４３】
図６は第２の実施形態の環境モニタリングシステムで使用されるデータロガー２４１の構成を示すブロック図である。なお、図３と同一部分には同一符号を付し、その詳細な説明は省略する。
【００４４】
図６に示すようにデータロガー２４１は、メモリ１１、メモリ制御部１２、全体制御部１３、測定機器Ｉ／Ｆ１４、通信Ｉ／Ｆ１５およびメモリ監視部１６を含む。すなわちデータロガー２４１は、データロガー２１１，２２１，２３１の構成にメモリ監視部１６を追加した構成を持つ。
【００４５】
メモリ監視部１６は、メモリ１１の蓄積状況をモニタする。メモリ監視部１６は、メモリ１１の空き容量（以下、メモリ容量と称する）に応じて、メモリ１１に測定データを書き込む周期を変更したり、メモリ１１に記憶された測定データを削除したりする。
【００４６】
図７はメモリ監視部１６による処理の第１例を説明する図である。
メモリ監視部１６は、図７に示すようにメモリ容量が閾値Ｔｈ以上であるときには、測定器から取得した測定データの全てをメモリ１１に書き込むことをメモリ制御部１２に許容する。メモリ監視部１６は、図７に示すようにメモリ容量が閾値Ｔｈ未満であるときには、測定器から取得した測定データを間引いてメモリ１１に書き込むようにメモリ制御部１２に指示する。
【００４７】
なお、閾値Ｔｈは設計者や使用者などが任意に定めておけばよい。メモリ１１に書き込む測定データを間引く割合は設計者や使用者などが任意に定めておけばよい。
【００４８】
このような処理により、メモリ容量が十分に残っているときには、高頻度でメモリ１１へと測定データが書き込まれる。従って、測定データの送信が停止される期間が比較的短ければ、送信が可能になった際に高頻度で取得した詳細な測定データを送信することができる。この上でメモリ容量が少なくなったときには、メモリ１１へと測定データが書き込まれる頻度が低減される。従って、測定データの送信が停止される期間が長引く場合には、測定データの蓄積を継続できる期間を長く確保することが可能となる。
【００４９】
なお、メモリ１１へと書き込む測定データを間引くのに代えて、全体制御部１３に働きかけて、測定データの取得間隔を変更するようにしても同様な効果が達成できる。
【００５０】
図８はメモリ監視部１６による処理の第２例を説明する図である。
メモリ監視部１６は、図８に示すようにメモリ容量が閾値Ｔｈ１以上であるときには、測定器から取得した測定データの全てをメモリ１１に書き込むことをメモリ制御部１２に許容する。メモリ監視部１６は、図８に示すようにメモリ容量が閾値Ｔｈ１未満であるときには、測定器から取得した測定データを間引いてメモリ１１に書き込むようにメモリ制御部１２に指示する。ただしメモリ監視部１６は、メモリ容量が閾値Ｔｈ２以上、閾値Ｔｈ１未満であるか、それとも閾値Ｔｈ１未満であるかに応じて測定データを間引く割合を変化させる。
【００５１】
なお、閾値Ｔｈ１，Ｔｈ２は設計者や使用者などが任意に定めておけばよい。メモリ１１に書き込む測定データを間引く割合は設計者や使用者などが任意に定めておけばよい。
【００５２】
このような処理により、上記第１例と同様な効果をより効率良く達成することが可能となる。なお、測定データを間引く割合を３ステップ以上で変化させることも可能であり、ステップ数を増やすほど効率的とすることが可能である。
【００５３】
なお、メモリ１１へと書き込む測定データを間引くのに代えて、全体制御部１３に働きかけて、測定データの取得間隔を段階的に変更するようにしても同様な効果が達成できる。
【００５４】
図９はメモリ監視部１６による処理の第３例を説明する図である。
メモリ監視部１６は、図８に示すようにメモリ容量が閾値Ｔｈまで低下したことに応じて、既にメモリ１１に保存されている測定データを部分的に削除する。
【００５５】
先にも述べたように、環境データは急激には変化しないので、通常時の運用であればある程度長い周期で測定することも可能である。この例では、短い周期で取り込んだ測定データの中から、許容される範囲のデータ量を残し、他を削除するものである。どの程度のデータを残し、削除するのかは、測定対象により異なるので、諸事情を考慮した設計者や使用者が予めデータ削減のルールを決めておく。
【００５６】
図１０はメモリ監視部１６による処理の第４例を説明する図である。
メモリ監視部１６は、上記の第３例と同様に、メモリ容量が閾値Ｔｈまで低下する毎に、既にメモリ１１に保存されている測定データを部分的に削除する。ただしメモリ監視部１６は、測定データの送信が前回行われてからこれまでに測定データの削除を行った回数に応じて、保存されている測定データのうちで間引くデータを決めるルールを変更する。
【００５７】
図１０の例の１回目においては、メモリ１１に保存されている測定データから均等に５０％の割合でデータを間引くように削除を行う。これまでに削除が行われていないのであるから、メモリ１１には間引きが行われていない測定データＤ１のみが保存されている。このため、１回目の削除が行われたのちには、メモリ１１には５０％の割合で間引かれた測定データＤ２のみが保存されることになる。
【００５８】
この後、メモリ容量が閾値Ｔｈまで低下するまで新たに測定データがメモリ１１へと保存される。このように新たに保存される測定データは、間引きが行われていない。このため、次にメモリ容量が閾値Ｔｈまで低下したときには、図１０に示すように５０％の割合で間引かれた測定データＤ２と間引かれていない測定データＤ３とが混在することになる。
【００５９】
そこで２回目においては、５０％の割合で間引かれた測定データＤ２についてはさらに５０％の割合で間引き、追加保存された測定データＤ３については７５％の割合で間引くように削除を行う。この結果、測定データＤ２から間引かれた測定データＤ４および測定データＤ３から間引かれた測定データＤ５のいずれもが間引きが行われていない当初の測定データＤ１，Ｄ３に対して７５％の割合で間引かれた測定データとなる。すなわち、前回に測定データを送信したのちに取得された測定データの全てから均一に７５％の割合で間引いた測定データがメモリ１１に保存されることになる。
【００６０】
このように各回毎で測定データの削除の仕方を変えることで、取得された測定データの全てから均一な割合で間引いた測定データをメモリ１１に保存しておくことが可能となる。また、上記の具体例のように、間引きの割合を徐々に高めることも可能となる。
【００６１】
このほか、メモリ１１に保存した測定データの一部を削除するだけではなく、平均値を計算して平均値のみを残しておくなどの圧縮処理を施すことによってメモリ容量を増大することも可能である。
【００６２】
（第３の実施形態）
第３の実施形態に係わる環境モニタリングシステムの概略構成は第１の実施形態と同様であるので、図示は省略する。そして第３の実施形態において第１の実施形態と異なるのは、データ収集装置１０１に代えて図１１に示す構成のデータ収集装置１０４を用いるとともに、データロガー２１１，２２１，２３１に代えて図１２に示す構成のデータロガー２５１，２６１，２７１を用いる点である。
【００６３】
図１１は第３の実施形態の環境モニタリングシステムで使用されるデータ収集装置１０４の構成を示すブロック図である。なお、図２と同一部分には同一符号を付し、その詳細な説明は省略する。
【００６４】
図１１に示すようにデータ収集装置１０４は、データ収集部１、停止要求信号送信部３、優先送信要求信号送信部４、停止解除信号送信部５、優先送信解除信号送信部６、ネットワークＩ／Ｆ７、記憶装置Ｉ／Ｆ８および監視装置Ｉ／Ｆ９を含む。すなわちデータ収集装置１０４は、データ収集装置１０１の構成から送信要求信号送信部２を取り除いた構成を持つ。
【００６５】
図１２は第３の実施形態の環境モニタリングシステムで使用されるデータロガー２５１，２６１，２７１の構成を示すブロック図である。なお、図３および図６と同一部分には同一符号を付し、その詳細な説明は省略する。
【００６６】
図１２に示すようにデータロガー２５１，２６１，２７１は、メモリ１１、メモリ制御部１２、測定機器Ｉ／Ｆ１４、通信Ｉ／Ｆ１５、メモリ監視部１６および全体制御部１７を含む。すなわちデータロガー２５１は、データロガー２４１における全体制御部１３に代えて全体制御部１７を備えた構成を持つ。
【００６７】
全体制御部１７は、データロガー２５１としての動作を実現するために各部を総括制御する。全体制御部１７は、停止要求信号受信部１３ｃ、停止解除信号受信部１３ｄ、優先送信要求信号受信部１３ｅ、優先送信解除信号受信部１３ｆ、取得間隔変更部１３ｇ、測定データ送信制御部１７ａおよび送信間隔変更部１７ｂとしての機能を備えている。すなわち全体制御部１７は、全体制御部１３における送信要求信号受信部１３ａおよび測定データ送信制御部１３ｂに代えて測定データ送信制御部１７ａおよび送信間隔変更部１７ｂを備える。
【００６８】
測定データ送信制御部１７ａは、予め定められた時間間隔で測定データをデータ収集装置１０４に向けて送信する。送信間隔変更部１７ｂは、停止要求信号、停止解除信号、優先送信要求信号および優先送信解除信号の受信状況に応じて測定データを送信する時間間隔を変更する。
【００６９】
次に以上のように構成された第３の実施形態の環境モニタリングシステムの動作につき説明する。
図１３はデータ収集装置１０４がデータロガー２５１，２６１，２７１から測定データを収集する手順を示すシーケンス図である。図１４はデータロガー２５１，２６１，２７１における全体制御部１７の処理のフローチャートである。
【００７０】
図１４に示すように、全体制御部１７はステップＳＴ２１において、データ取得間隔をＴ２に設定する。そして全体制御部１７は、図１３に示す処理とは別の処理にて、上記のデータ取得間隔毎に測定器２１２，２２２，２３２から測定データを取得し、メモリ１１に蓄積して行く。
【００７１】
この状態にて全体制御部１７はステップＳＴ２２乃至ステップＳＴ２４において、前回の測定データの送信を行ってから時間Ｔ１２が経過するか、あるいは停止要求信号または優先送信要求信号が到来するのを待ち受ける。なお、時間Ｔ１２は、後出の時間Ｔ１１に対して、Ｔ１１＜Ｔ１２なる関係を持つ。これら時間Ｔ１１，Ｔ１２の具体的な値は、データロガー２５１，２６１，２７１の設計者や使用者などが任意に定めておけばよい。
【００７２】
時間Ｔ１２が経過したならば全体制御部１７はステップＳＴ２５において、メモリ１１に蓄積された測定データをデータ収集装置１０４に向けて送信させる。測定データを送信し終えたならば全体制御部１７は、ステップＳＴ２２乃至ステップＳＴ２４の待ち受け状態に戻る。
かくして図１３の期間Ｅに示されるように、データロガー２５１，２６１，２７１から自律的にデータ収集装置１０４へ測定データが送られる。このようにしてデータロガー２５１，２６１，２７１からデータ収集装置１０４へと送られた測定データは、データ収集装置１０４によってデータ記憶装置１０３に蓄積される。なお、図１３に示すようにデータロガー２５１，２６１，２７１が測定データを送信するタイミングがずれるように、各データロガー２５１，２６１，２７１の全体制御部１７が制御を行う。このような制御には、既に知られた種々の同期制御の手法を用いることができる。なお、同期制御を行わずに、衝突時の再送制御を行うことも可能である。
【００７３】
さて、詳細測定開始指示をデータ監視装置１０２から受けるとデータ収集装置１０４は、指定されたデータロガーとは異なるデータロガーに対しては、停止要求信号を送信する。またデータ収集装置１０４は、指定されたデータロガーに対しては、優先送信要求信号を送信する。
【００７４】
今、データロガー２５１から測定データを詳細に収集することとした場合には、データ収集装置１０４は図１３の期間Ｆに示されるように、データロガー２６１，２７１へは停止要求信号を送信し、データロガー２５１へは優先送信要求信号を送信する。
【００７５】
データロガー２６１，２７１では、上記の停止要求信号を受信すると、全体制御部１７が図１４のステップＳＴ２３にて停止要求信号が到来したと判定する。そしてこの場合に全体制御部１７はステップＳＴ２６において、データ取得間隔をＴ３に設定する。Ｔ３は通常時に設定するＴ２よりも大きいから、全体制御部１７はデータ取得間隔を通常時より延長することになる。この上で全体制御部１７はステップＳＴ７において、停止解除信号が到来するのを待ち受ける。
【００７６】
データロガー２５１では、上記の優先送信要求信号を受信すると、全体制御部１７が図１４のステップＳＴ２４にて優先送信要求信号が到来したと判定する。そしてこの場合に全体制御部１７はステップＳＴ２８において、データ取得間隔をＴ１に設定する。Ｔ１は通常時に設定するＴ２よりも小さいから、全体制御部１７はデータ取得間隔を通常時より短縮することになる。この上で全体制御部１７はステップＳＴ２９およびステップＳＴ３０において、前回の測定データの送信を行ってから時間Ｔ１２が経過するか、あるいは優先送信解除信号が到来するのを待ち受ける。
【００７７】
時間Ｔ１１が経過したならば全体制御部１７はステップＳＴ３１において、メモリに蓄積された測定データをデータ収集装置１０４に向けて送信させる。測定データを送信し終えたならば全体制御部１７は、ステップＳＴ２９およびステップＳＴ３０の待ち受け状態に戻る。
かくして、図１３の期間Ｇに示すように、データロガー２６１，２７１からは測定データの送信は行われず、データロガー２５１のみが測定データの送信を行うようになる。そしてこのときにデータロガー２５１が測定データを送信する間隔は、通常時における間隔Ｔ１２よりも短い間隔Ｔ１１とされる。
【００７８】
詳細測定開始指示をデータ監視装置１０２から受けるとデータ収集装置１０４は図１３の期間Ｈのように、停止要求信号の送信先であったデータロガー２６１，２７１に対しては停止解除信号を送信し、また優先送信要求信号の送信先であったデータロガー２５１に対しては優先送信解除信号を送信する。
【００７９】
データロガー２６１，２７１では、上記の停止解除信号を受信すると、全体制御部１７が図１４のステップＳＴ２７にて停止解除信号が到来したと判定する。データロガー２５１では、上記の優先送信解除信号を受信すると、全体制御部１７が図１４のステップＳＴ３０にて優先送信解除信号が到来したと判定する。そしてこれらの場合に全体制御部１７は、処理をステップＳＴ２１に移行し、これ以降の処理を前述と同様に行う。これにより、データロガー２５１，２６１，２７１は、通常時の動作状態に戻る。
【００８０】
以上のように第３の実施形態によれば、第１の実施形態および第２の実施形態で得られるのと同様な効果を得ることが可能である。さらに第３の実施形態によれば、データロガー２５１，２６１，２７１が自律的に測定データを送信するため、データ収集装置１０４とデータロガー２５１，２６１，２７１との間の通信処理が第１の実施形態および第２の実施形態に比べて簡易になる。
【００８１】
なお、本発明は前記各実施形態に限定されるものではない。例えば、前記各実施形態において、集中的に測定データを送信するデータロガーが測定器２１２，２２２，２３２から測定データを取り込む間隔は、通常時と同じ間隔のまましても良い。第１実施形態および第２実施形態にてこのようにするならば、優先送信要求信号および優先送信解除信号の授受を省略することが可能である。
【００８２】
前記各実施形態において、測定データの送信を停止しているデータロガーが測定器２１２，２２２，２３２から測定データを取り込む間隔は、通常時と同じ間隔のまましても良い。第１実施形態および第２実施形態にてこのようにするならば、停止要求信号および停止解除信号の授受を省略することが可能である。
【００８３】
前記各実施形態において、一部のデータロガーから集中的に測定データを収集する状態に移行する契機は、測定データに異常が見られたときには限らない。
【００８４】
前記第１および第２の実施形態では、優先送信要求信号を受けたデータロガーが送信要求信号を受けずに測定データをデータ収集装置１０４に対して送信するようにしても良い。このようにすれば、信号処理に要する時間も短くなり、さらに効率的な測定データの収集が可能となる。
【００８５】
前記第１および第２の実施形態において、データ収集装置１０１が送信要求信号を送信するタイミングは一定周期毎である必要はない。例えば、１つのデータロガーから送信される測定データを受信し終えたことに応じて、次のデータロガーに対して送信要求信号を送るなどの変更が可能である。
【００８６】
前記第３の実施形態において、データロガーが測定データを送信するタイミングが一定周期毎である必要は無い。例えば、昼間と夜間とで測定データを送信する周期を変化させるなどの変更が可能である。
【００８７】
前記第３の実施形態は、第１の実施形態のようにメモリ監視部１６を設けない構成に変形することも可能である。
【００８８】
このほか、本発明の要旨を逸脱しない範囲で種々の変形実施が可能である。
【００８９】
【発明の効果】
本発明によれば、特定のデータロガー以外のデータロガーからの測定データの送信を一時的に停止させ、特定のデータロガーに集中的に測定データを送信させることができるため、データ収集装置にて特定のデータロガーから、通常時よりも多くの測定データの収集を一時的に行うことを可能となる。
【図面の簡単な説明】
【図１】第１の実施形態に係わる環境モニタリングシステムの概略構成図。
【図２】図１中のデータ収集装置１０１の構成を示すブロック図。
【図３】図１中のデータロガー２１１，２２１，２３１の構成を示すブロック図。
【図４】第１の実施形態にてデータ収集装置がデータロガーから測定データを収集する手順を示すシーケンス図。
【図５】図３中の全体制御部１３の処理のフローチャート。
【図６】第２の実施形態に係わる環境モニタリングシステムで使用されるデータロガーの構成を示すブロック図。
【図７】図６中のメモリ監視部１６による処理の第１例を説明する図。
【図８】図６中のメモリ監視部１６による処理の第２例を説明する図。
【図９】図６中のメモリ監視部１６による処理の第３例を説明する図。
【図１０】図６中のメモリ監視部１６による処理の第４例を説明する図。
【図１１】第３の実施形態の環境モニタリングシステムで使用されるデータ収集装置の構成を示すブロック図。
【図１２】第３の実施形態の環境モニタリングシステムで使用されるデータロガーの構成を示すブロック図。
【図１３】第３の実施形態にてデータ収集装置がデータロガーから測定データを収集する手順を示すシーケンス図。
【図１４】図１２中の全体制御部１７の処理のフローチャート。
【符号の説明】
１００…中央収集局、１０１…データ収集装置、１０２…データ監視装置、１０３…データ記憶装置、１０４…データ収集装置、２１０，２２０，２３０，２４１，２５１，２６１，２７１…測定局、３００…ネットワーク、１…データ収集部、２…送信要求信号送信部、３…停止要求信号送信部、４…優先送信要求信号送信部、５…停止解除信号送信部、６…優先送信解除信号送信部、１１…メモリ、１２…メモリ制御部、１３，１７…全体制御部、１３ａ…送信要求信号受信部、１３ｂ…測定データ送信制御部、１３ｃ…停止要求信号受信部、１３ｄ…停止解除信号受信部、１３ｅ…優先送信要求信号受信部、１３ｆ…優先送信解除信号受信部、１３ｇ…取得間隔変更部、１７ａ…測定データ送信制御部、１７ｂ…送信間隔変更部、１６…メモリ監視部。
【図１】
2005004529.tif 000003
【図２】
2005004529.tif 000004
【図３】
2005004529.tif 000005
【図４】
2005004529.tif 000006
【図５】
2005004529.tif 000007
【図６】
2005004529.tif 000008
【図７】
2005004529.tif 000009
【図８】
2005004529.tif 000010
【図９】
2005004529.tif 000011
【図１０】
2005004529.tif 000012
【図１１】
2005004529.tif 000013
【図１２】
2005004529.tif 000014
【図１３】
2005004529.tif 000015
【図１４】
2005004529.tif 000016